(57)【要約】【課題】加熱効率及び雪の溶解効率を上昇させることにある。【解決手段】容器本体２と、マグネトロン２１と、マイクロ波供給部５と、ホース３と、ポンプ４と、接続部４１とを有する。容器本体２は液体や氷や雪が収納可能である。マグネトロン２１は容器本体２内の液体や氷や雪を加熱するためのマイクロ波を発振する。マイクロ波供給部５はマグネトロン２１のマイクロ波を容器本体２に供給するために容器本体２に設けている。ホース３は、容器本体２外に装着され、容器本体２の液体や氷や雪を排出するためのものである。ポンプ４は容器本体２内の液体や氷や雪を加熱したものをホース３から噴射させる。接続部４１は容器本体２とポンプ４とを接続する。【選択図】図１
2007177550.tif 000002
【特許請求の範囲】
【請求項１】
液体や氷や雪が収納可能である容器本体と、
前記容器本体内の液体や氷や雪を加熱するためのマイクロ波を発振するマグネトロンと、
前記マグネトロンが発振したマイクロ波を前記容器本体に供給するために前記容器本体に設けられたマイクロ波供給部と、
前記容器本体外に装着され、前記容器本体の内部と外気とを連通するホースと、
前記容器本体内の液体や氷や雪を加熱したものを前記ホースから噴射させるためのポンプと、
前記容器本体と前記ポンプとを接続する接続部と、
を備えた除雪装置。
【請求項２】
前記接続部は、
前記容器本体に外側に突出するように設けられた第１筒状部と、
前記第１筒状部と接続可能であって、前記第１筒状部を覆うように設けられ、前記第２筒状部が突出する方向に孔を有する第１キャップ状部材と、
前記ポンプに外側に突出するように設けられた第２筒状部と、
前記第２筒状部と接続可能であって、前記第２筒状部を覆うように設けられ、前記第２筒状部が突出する方向に孔を有する第２キャップ状部材と、
前記第１キャップ状部材の孔と前記第２キャップ状部材の孔とを連結する連結部とを備えている、
請求項１に記載の除雪装置。
【請求項３】
前記接続部は、
前記容器本体に内部に突出するように設けられた第１筒状部と、
前記第１筒状部の内周部と一端で接続可能である筒状部材と、
前記筒状部材の他端と接続可能であって、前記第１筒状部を覆うように設けられ、前記第２筒状部が突出する方向に孔を有する第１キャップ状部材と、
前記ポンプに外側に突出するように設けられた第２筒状部と、
前記第２筒状部と接続可能であって、前記第２筒状部を覆うように設けられ、前記第２筒状部が突出する方向に孔を有する第２キャップ状部材と、
前記第１キャップ状部材の孔と前記第２キャップ状部材の孔とを連結する連結部とを備えている、
請求項１に記載の除雪装置。
【請求項４】
前記連結部は、前記容器本体側端部に前記第１キャップ状部材と互いに係止する第１係止部と、前記ポンプ側端部に前記第２キャップ状部材と互いに係止する第２係止部とを備え、前記連結部の両端には前記第１筒状部及び前記第２筒状部を覆う覆い部を備えた、
請求項２又は３に記載の除雪装置。
【請求項５】
前記覆い部は、パッキンと、円筒状の弾性部材によって形成されている、請求項４に記載の除雪装置。
【請求項６】
前記ホースの先端はホースが延びる方向に徐々に広がるように形成されている、請求項１から５までのいずれかに記載の除雪装置。
【発明の詳細な説明】
【技術分野】
【０００１】
本発明は、除雪装置、特に、液体や雪や氷を加熱して、加熱された液体等によって雪を溶かす除雪装置に関する。
【背景技術】
【０００２】
雪が積もって除雪が必要になった場合には、スコップなどを使用して、雪を除雪したい場所から除去する作業が必要になる。屋根の上に雪が積もった場合には、除雪を行う人が屋根に上ってスコップなどで雪を屋根から下ろすことが必要である。このような除雪作業は、肉体的・精神的に極めて過酷な作業であり、屋根に上がって作業を行う必要がある場合などには危険が伴う。そこで、このような状況を改善するために、水によって雪を溶かすようにした装置が考えられている（特許文献１参照）。
【特許文献１】特開２０００−２５７３０４号公報
【発明の開示】
【発明が解決しようとする課題】
【０００３】
特許文献１に記載の除雪装置では、電熱パイプヒーターによって３５℃程度に加熱し、３５℃程度に加熱された水を屋根に散水して雪を溶かす。しかし、特許文献１に記載の除雪装置では、電熱パイプヒーターで水を加熱するために加熱効率が悪く、水の温度が低いために雪を溶解する効率も悪い。
【０００４】
本発明の課題は、加熱効率及び雪の溶解効率を上昇させることにある。
【課題を解決するための手段】
【０００５】
請求項１に係る除雪装置は、容器本体と、マグネトロンと、マイクロ波供給部と、ホースと、ポンプと、接続部とを有する。容器本体は液体や氷や雪が収納可能である。マグネトロンは容器本体内の液体や氷や雪を加熱するためのマイクロ波を発振する。マイクロ波供給部はマグネトロンのマイクロ波を容器本体に供給するために容器本体に設けている。ホースは、容器本体外に装着され、容器本体の液体や氷や雪を排出するためのものである。ポンプは容器本体内の液体や氷や雪を加熱したものをホースから噴射させる。接続部は容器本体とポンプとを接続する。
【０００６】
この除雪装置は、容器本体に液体や雪や氷を収納し、この液体や氷や雪にマイクロ波供給部によってマイクロ波を供給し、液体や氷や雪を高温に加熱する。加熱された液体や雪や氷はポンプによってホースから雪に散水される。その後、散水された液体が雪を溶かす。
【０００７】
ここでは、マイクロ波によって液体や氷や雪を高温に加熱するために加熱効率が良くなり、さらに高温に加熱することができるために雪の溶解効率が良くなる。
【０００８】
請求項２に係る除雪装置は、請求項１に記載の除雪装置であって、接続部は、第１筒状部と、第１キャップ状部材と、第２筒状部と、第２キャップ状部材と、連結部とを備えている。第１筒状部は、容器本体に外側に突出するように設けられている。第１キャップ状部材は、第１筒状部と接続可能であって、第１筒状部を覆うように設けられ、第２筒状部が突出する方向に孔を有する。第２筒状部はポンプに外側に突出するように設けられている。第２キャップ状部材は、第２筒状部と接続可能であって、第２筒状部を覆うように設けられ、第２筒状部が突出する方向に孔を有する。連結部は第１キャップ状部材の孔と第２キャップ状部材の孔とを連結する。
【０００９】
この除雪装置では、容器本体の第１筒状部を第１キャップ状部材が覆っており、ポンプの第２筒状部を第２キャップ状部材が覆っており、連結部が第１キャップ状部材の孔と第２キャップ状部材の孔とを連結している。
【００１０】
ここでは、第１キャップ状部材の孔と第２キャップ状部材の孔とを連結しているために容器本体に収納する液体を効率よくホースに送ることができる。
【００１１】
請求項３に係る除雪装置は、請求項１に記載の除雪装置であって、接続部は、第１筒状部と、筒状部材と、第１キャップ状部材と、第２筒状部材と、第２キャップ状部材と、連結部とを備えている。第１筒状部は容器本体に内部に突出するように設けられた部分である。筒状部材は第１筒状部の内周部と一端で接続可能である。第１キャップ状部材は、筒状部材の他端と接続可能であって、第１筒状部を覆うように設けられ、第２筒状部が突出する方向に孔を有する。第２筒状部はポンプに外側に突出するように設けられ周囲がねじ切りされた部分である。第２キャップ状部材は、第２筒状部と接続可能であって、第２筒状部を覆うように設けられ、第２筒状部が突出する方向に孔を有する。連結部は第１キャップ状部材の孔と第２キャップ状部材の孔とを連結する。
【００１２】
ここでは、第１筒状部が外周側に存在しないために容器本体内部に同様の容器本体を重ねることができるために大量に運搬しやすくなる。
【００１３】
請求項４に係る除雪装置は、請求項２又は３に記載の除雪装置であって、連結部は、容器本体側端部に第１キャップ状部材と互いに係止する第１係止部と、ポンプ側端部に第２キャップ状部材と互いに係止する第２係止部とを備え、連結部の両端には第１筒状部及び第２筒状部を覆う覆い部を備えている。
【００１４】
ここでは、連結部が第１キャップ状部材及び第２キャップ状部材から外れにくくなり、第１筒状部及び第２筒状部に接続されやすくなる。
【００１５】
請求項５に係る除雪装置は、請求項４に記載の除雪装置であって、覆い部は、パッキンと、円筒状の弾性部材によって形成されている。
【００１６】
請求項６に係る除雪装置は、請求項１から５のいずれかに記載の除雪装置であって、ホースの先端はホースが延びる方向に徐々に広がるように形成されている。
【００１７】
ここでは、加熱された液体をホースから散水しやすくなり、散水の際にホースを持つ人に加熱された液体がかかりにくくなるために安全になる。
【発明の効果】
【００１８】
本発明は、加熱効率及び雪の溶解効率を上昇させることができる。
【発明を実施するための最良の形態】
【００１９】
１．構成
以下、本願発明の実施形態を図面を参照して詳細に説明する。
【００２０】
図１に示すように、本願発明の一実施形態による除雪装置１は、雪１００を収納できる容器本体２と、容器本体２の雪１００にマイクロ波を供給するためのマイクロ波供給部５と、容器本体２内の加熱した液体を排出するためのホース３と、ホース３から加熱した液体を散水するためのポンプ４とを有している。
【００２１】
容器本体２は、円形の底部１２と、底部１２の外周全体から上側に延びる筒状部１３と、筒状部１３よりも半径の大きな円形の蓋部１４とを有している。底部１２は、炭層によって形成されている部分であって、板状の部分である。筒状部１３は、円筒状に形成されている部分であって、炭層によって形成されている。蓋部１４は、筒状部１３を塞ぐための部分であって、筒状部１３の円形断面よりも半径の大きな円板状の部材である。また、蓋部１４は筒状部１３に開閉可能に接続されている。
【００２２】
マイクロ波供給部５は、蓋部１４の内部に形成された部分であって、容器本体２内の雪１００を高温に加熱するための部分である。また、マイクロ波供給部５は、マイクロ波を発振するマグネトロン２１と、マイクロ波を供給する回転アンテナ２２と、マグネトロン２１から発振されたマイクロ波を回転アンテナ２２に導く導波管２３と、回転アンテナ２２を回転させるためのモータ２４とによって構成される。マグネトロン２１は、蓋部１４の端部に配置されている。回転アンテナ２２は、蓋部１４の容器本体２側表面に取り付けられた部材であって、複数の項を備えた円板状の部材である。回転アンテナ２２は蓋部１４の中央に配置されている。この回転アンテナ２２が回転することによって容器本体２内の雪１００にマイクロ波を供給する。導波管２３は、マグネトロン２１と回転アンテナ２２との間に設けられた部分である。モータ２４は、導波管２３の上側に配置されており、回転アンテナ２２を回転させるための部材である。モータ２４にはモータ２４によって回転させられる回転軸２５が回転アンテナ２２側に突出して設けられており、回転軸２５に金属連結棒２６を介して回転アンテナ２２が接続されている。
【００２３】
ホース３は、容器本体２内の液体を散水するための部材であって、容器本体２外に配置された部材である。ホース３の先端には湯よけ３０が形成されている。湯よけ３０は、ホース３が延びる方向に徐々に広がるように形成された部分であって、メガホンのような形状に形成されている。
【００２４】
ポンプ４は、容器本体２の外部に配置された部材であって、容器本体２に収納されている加熱された液体をホース３から散水するための部材である。
【００２５】
ポンプ４と容器本体２との接続部４１は、図１及び図２に示すように、容器本体２から外側に突出した第１円筒部４２と、第１円筒部４２を覆う第１キャップ状部材４３と、ポンプ４から突出するように設けられた第２円筒部４４と、第２円筒部４４を覆う第２キャップ状部材４５と、第１円筒部４２と第２円筒部４４とを接続する接続部材４６とを有する。第１円筒部４２は、容器本体２の外壁面から外側に突出するように設けられており、容器本体２の下側に設けられている。この第１円筒部４２は、容器本体２に近い部分にねじ切りが形成されている。第１キャップ状部材４３は、図２（ａ）に示すように、第１円筒部４２の円形断面よりも半径の大きな円形断面を有する第３円筒部４３ａと、第３円筒部４３ａの一方側端部に配置された第１環状部分４３ｂとを備えている。第３円筒部４３ａは、容器本体２側の内周に第１円筒部４２に設けられたねじ切りに噛み合うねじ切りが形成されている。第１環状部分４３ｂは、後述する接続部材４６の外周と同じ大きさの孔４３ｃが真ん中に設けられている。この第２円筒部４４は、容器本体２から遠い部分にねじ切りが形成されている。第２キャップ状部材４５は、図２（ｂ）に示すように、第１キャップ状部材４３と同様の構成であって、第２円筒部４４の円形断面よりも半径の大きな円形断面を有する第４円筒部４５ａと、第４円筒部４５ａの一方側端部に配置された第２環状部分４５ｂとを備えている。第４円筒部４５ａは、容器本体２側の内周に第２円筒部４４に設けられたねじ切りに噛み合うねじ切りが形成されている。第２環状部分４５ｂは、後述する接続部材４６の外周と同じ大きさの孔４５ｃが真ん中に設けられている。なお、第１キャップ状部材４３及び第２キャップ状部材４５と接続部材４６とはそれぞれ別の部材であって、第１キャップ状部材４３及び第２キャップ状部材４５は接続部材４６とは別に回転させることができる。接続部材４６は、図３に示すように、筒状の第５円筒部４６ａと、第５円筒部４６ａの両端に配置されたパッキン４６ｂと、第１円筒部４２及び第２円筒部４４の円形断面よりも少し大きな半径の円形断面の第６円筒部４６ｃとを有している。第５円筒部４６ａは、第１円筒部４２のポンプ３側端部と第２円筒部４４の容器本体２側端部とを接続するための部分である。パッキン４６ｂは、環状部材である。第６円筒部４６ｃは、第５円筒部４６ａの両端に配置された部分であって、第１筒状部４２及び前記第２筒状部４４を覆うように配置されている。また、第６円筒部４６ｃは、第５円筒部４６ａの厚みよりも薄く形成されており、弾性部材によって形成された部分である。
【００２６】
２．動作・効果
除雪を行う際には、先ず容器本体２に雪や液体や氷を入れる。その後、マイクロ波供給部５からマイクロ波が雪１００に供給される。雪１００にマイクロ波が供給されると雪１００の温度が上昇する。容器本体２内の雪１００が高温の液体になると、ポンプ４によってホース３から容器本体２外に散水される。ホース３から散水された液体の温度によって雪を溶解する。このとき、ホース３を持って除雪したい場所に加熱した液体などを散水する。
【００２７】
ここで、マイクロ波を供給して容器本体２内の液体を高温にすることができるために、効率的に雪を溶かすことができる。また、ホース３の先端には湯よけ３０が形成されているために、安全かつ効率的に雪を溶かすことができる。
【００２８】
３．他の実施形態
上記実施形態は、ホース３によって高温の液体を散水して雪を解かすようにしたが、本発明はこれに限られず、図４に示すようにホース３の先端にスプリンクラーなどを接続し、スプリンクラーを屋根の上に設置して屋根上の雪を溶かすこともできる。この場合には、屋根の上の雪を効率よく危険を伴わずに溶かすことができる。また、第１円筒部４２及び第２円筒部４４にねじ切りを構成したが、図５に示すように、ゴムなどの弾性部材で円筒状に形成された部材の外壁にねじ切りを形成した筒部材６０を取り付けるようにしても良い。この場合には、ポンプ４や容器本体２の突出部にねじ切りを設ける必要がなくなる。さらに、上記実施形態では第１円筒部４２を容器本体の外周側に設けたが、本発明はこれに限らずに、図６に示すように、第１円筒部５１を容器本体２の内部側に突出するように設けても良い。この場合には、第１円筒部５１の内周側にねじ切りを設け、このねじ切りと螺合するねじ切りを設けた接続ホースを第１円筒部の内周側に挿入する。容器本体２と接続ホースとの接触部に容器本体内部の水が漏れるのを防止するためのパッキン５２と留め金５３が配置されている。なお、上記実施形態では、第１円筒部４２と第１キャップ状部材４３を螺合させ、第２円筒部４４と第２キャップ状部材４５を螺合させることで両方の部材を接続したが、本発明はこれに限られずに他の方法によって接続しても良い。
【図面の簡単な説明】
【００２９】
【図１】本発明の除雪装置１の概略全体図。
【図２】ポンプ４と容器本体２との接続部４１の図。
【図３】接続部４６を示す図。
【図４】他の実施形態の図。
【図５】他の実施形態の図。
【図６】他の実施形態の図。
【符号の説明】
【００３０】
１  除雪装置
２  容器本体
３  ホース
４  ポンプ
５  マイクロ波供給部
１４  蓋部
２１  マグネトロン
３０  湯よけ
４１  接続部
４２  第１円筒部（第１筒状部）
４３  第１キャップ状部材
４４  第２円筒部（第２筒状部）
４５  第２キャップ状部材
４６  接続部材
【図１】
2007177550.tif 000003
【図２】
2007177550.tif 000004
【図３】
2007177550.tif 000005
【図４】
2007177550.tif 000006
【図５】
2007177550.tif 000007
【図６】
2007177550.tif 000008